(57)【要約】【課題】旅行者とガイドとの間で効率良く且つ最適なマッチングを行うことができるガイド支援システムを提供する。【解決手段】ガイド支援システム１は、旅行者が登録した旅行者情報をカレンダーＰに表示するカレンダー表示部１１と、ガイドがカレンダーＰ上に表示された旅行者情報を選択して申し込み作業を行うことにより、申し込んだガイドと前記旅行者とをマッチングさせるガイドマッチング部１２とを備える。【選択図】図１
2016191969.tif 000002
【特許請求の範囲】
【請求項１】
旅行者が登録した旅行者情報をカレンダーに表示するカレンダー表示部と、
ガイドが前記カレンダー上に表示された前記旅行者情報を選択して申し込み作業を行うことにより、申し込んだガイドと前記旅行者とをマッチングさせるガイドマッチング部とを備える、ガイド支援システム。
【請求項２】
請求項１に記載のガイド支援システムにおいて、
ガイドマッチング部は、前記マッチングされたガイド及び旅行者の少なくとも一方に対して、マッチング結果の通知を行う、通知部を備える、ガイド支援システム。
【請求項３】
請求項１または２に記載のガイド支援システムにおいて、
前記カレンダー表示部は、前記ガイドマッチング部によってマッチングが行われた後、カレンダー上でガイドとマッチングした旅行者の旅行者情報が表示される部分の色を変更する、ガイド支援システム。
【請求項４】
請求項１から３のいずれか一つに記載のガイド支援システムにおいて、
前記旅行者情報は、旅行者の属性に関する情報を含む旅行者属性情報と、旅行先及び日程を含む旅行情報とを有する、ガイド支援システム。
【請求項５】
請求項１から４のいずれか一つに記載のガイド支援システムにおいて、
前記旅行者情報は、前記カレンダー上に、情報に応じたアイコンで表示される、ガイド支援システム。
【請求項６】
旅行者が旅行者情報を登録する旅行者情報登録ステップと、
前記旅行者情報をカレンダーに表示するカレンダー表示ステップと、
前記カレンダーに表示された旅行者情報をガイドが選択して申し込み作業を行った場合に、申し込んだガイドと前記旅行者とをマッチングさせるガイドマッチングステップとを含む、ガイド支援方法。
【請求項７】
請求項６に記載のガイド支援方法において、
前記マッチングされたガイド及び旅行者の少なくとも一方に対して、マッチング結果の通知を行う通知ステップをさらに備える、ガイド支援方法。
【請求項８】
請求項６または７に記載のガイド支援方法において、
前記カレンダー表示ステップでは、前記ガイドマッチングステップにおいてマッチングが行われた後、カレンダー上でガイドとマッチングした旅行者の旅行者情報が表示される部分の色を変更する、ガイド支援方法。
【請求項９】
請求項６から８のいずれか一つに記載のガイド支援方法において、
前記旅行者情報は、旅行者の属性に関する情報を含む旅行者属性情報と、旅行先及び日程を含む旅行情報とを有する、ガイド支援方法。
【請求項１０】
請求項６から９のいずれか一つに記載のガイド支援方法において、
前記旅行者情報は、前記カレンダー上に、情報に応じたアイコンで表示される、ガイド支援方法。
【請求項１１】
コンピュータに、
旅行者が旅行者情報を登録する旅行者情報登録ステップと、
前記旅行者情報をカレンダーに表示するカレンダー表示ステップと、
前記カレンダーに表示された旅行者情報をガイドが選択して申し込み作業を行った場合に、申し込んだガイドと前記旅行者とをマッチングさせるガイドマッチングステップとを実行させる、プログラム。
【請求項１２】
請求項１１に記載のプログラムにおいて、
前記マッチングされたガイド及び旅行者の少なくとも一方に対して、マッチング結果の通知を行う通知ステップをさらに備える、プログラム。
【請求項１３】
請求項１１または１２に記載のプログラムにおいて、
前記カレンダー表示ステップでは、前記ガイドマッチングステップにおいてマッチングが行われた後、カレンダー上でガイドとマッチングした旅行者の旅行者情報が表示される部分の色を変更する、プログラム。
【請求項１４】
請求項１１から１３のいずれか一つに記載のプログラムにおいて、
前記旅行者情報は、旅行者の属性に関する情報を含む旅行者属性情報と、旅行先及び日程を含む旅行情報とを有する、プログラム。
【請求項１５】
請求項１１から１４のいずれか一つに記載のプログラムにおいて、
前記旅行者情報は、前記カレンダー上に、情報に応じたアイコンで表示される、プログラム。
【発明の詳細な説明】
【技術分野】
【０００１】
本発明は、旅行者とガイドとのマッチングを支援するためのガイド支援システム、ガイド支援方法、及びこれらを実現するためのプログラムに関する。
【背景技術】
【０００２】
近年、旅行者のニーズの多様化に伴い、旅行者のニーズに合わせて最適な観光情報を提供することが重要になっている。このような情報提供の方法として、例えば特許文献１には、旅行情報提供サーバにより、日程情報の入力を受け付けて、該日程情報と訪問先に関連する訪問先情報を旅行情報として利用者に提供する旅行ガイドシステムが知られている。また、特許文献２には、案内者が旅行情報データベースを参照して旅行希望者の旅行先へ旅行させるために必要な移動手段を予約手配する点が開示されている。
【０００３】
このような観光情報の提供は、旅行先の言語に精通した旅行者には有益な情報提供になるが、旅行先の言語に不慣れな外国人の旅行者にとっては十分な情報提供にはならない。そのため、外国からの旅行者は、該旅行者が話せる言語で会話ができ、且つ、旅行先の情報に詳しい地元のガイドを活用するケースが多い。
【０００４】
外国からの旅行者が旅行先の地元のガイドに観光案内を依頼する場合、一般的には、地元のガイドがインターネットのホームページ等に旅行者向けに掲載した案内を旅行者が探し出して、旅行者自身がガイドにコンタクトを取る必要がある。
【先行技術文献】
【特許文献】
【０００５】
【特許文献１】特開２０１２−２０８８７８号公報
【特許文献２】特開２０１１−１９１９９７号公報
【発明の概要】
【発明が解決しようとする課題】
【０００６】
しかしながら、従来のような旅行者とガイドとのマッチング方法では、ガイドがホームページ等に掲載した情報を見て旅行者がガイドを探すため、その検索能力には限界がある。特に、外国からの旅行者は、旅行先の地理や交通などに不慣れなこともあり、最適なガイドを見つけ出すことは難しかった。
【０００７】
また、ガイドも、自身が観光案内を行う際に、旅行者の話す言語、メンバー構成、嗜好などによって、対応可能な場合と対応が難しい場合とがあるが、従来のマッチング方法では、ガイド側からは旅行者を選択する余地がほとんどなく、ガイドにとってもあまり利便性が良くなかった。
【０００８】
本発明の目的は、旅行者とガイドとのマッチングを効率良く且つ最適に行うことができるガイド支援システムを提供することにある。
【課題を解決するための手段】
【０００９】
上記目的を達成するため、本発明の一側面におけるガイド支援システムは、旅行者が登録した旅行者情報をカレンダーに表示するカレンダー表示部と、ガイドが前記カレンダー上に表示された前記旅行者情報を選択して申し込み作業を行うことにより、申し込んだガイドと前記旅行者とをマッチングさせるガイドマッチング部とを備える。
【００１０】
また、上記目的を達成するため、本発明の一側面におけるガイド支援方法は、旅行者が旅行者情報を登録する旅行者情報登録ステップと、前記旅行者情報をカレンダーに表示するカレンダー表示ステップと、前記カレンダーに表示された旅行者情報をガイドが選択して申し込み作業を行った場合に、申し込んだガイドと前記旅行者とをマッチングさせるガイドマッチングステップとを含む。
【００１１】
更に、上記目的を達成するため、本発明の一側面におけるプログラムは、コンピュータに、旅行者が旅行者情報を登録する旅行者情報登録ステップと、前記旅行者情報をカレンダーに表示するカレンダー表示ステップと、前記カレンダーに表示された旅行者情報をガイドが選択して申し込み作業を行った場合に、申し込んだガイドと前記旅行者とをマッチングさせるガイドマッチングステップとを実行させる。
【発明の効果】
【００１２】
以上のように本発明の構成によれば、旅行者とガイドとの間で効率良く且つ最適なマッチングを行うことができるガイド支援システムを提供することができる。
【図面の簡単な説明】
【００１３】
【図１】ガイド支援システムの全体構成を示すブロック図である。
【図２】カレンダー表示の一例を模式的に示す図である。
【図３】カレンダーから希望する旅行者を選択した場合に表示される旅行者情報ページの一例を示す図である。
【図４】ガイド支援システムの詳細構成を示すブロック図である。
【図５】ガイド支援システムの動作の一例を示すフローである。
【図６】コンピュータの構成の一例を示す図である。
【発明を実施するための形態】
【００１４】
以下、本発明の実施形態に係るガイド支援システム、ガイド支援方法及びプログラムについて、図１から図６を参照しながら説明する。
【００１５】
図１は、本発明の実施形態に係るガイド支援システム１の全体構成を示す図である。ガイド支援システム１は、旅行者が入力した旅行者情報をカレンダーに表示するとともに、ガイドがカレンダーに表示された旅行者情報に基づいて所望の旅行者を選択してアサイン（申し込み作業）した場合に、ガイドと該ガイドによって選択された旅行者とをマッチングさせるシステムである。
【００１６】
ガイド支援システム１には、旅行者がパソコンなどの入力端末２に入力した旅行者情報が入力される。旅行者情報としては、例えば、旅行者の氏名、性別、言語、人数構成、嗜好、旅行先、日程などが挙げられる。すなわち、旅行者情報には、旅行者の属性に関する旅行者属性情報と、旅行先及び日程を含む旅行情報とが含まれる。
【００１７】
ガイド支援システム１は、旅行者の入力端末２から入力された旅行者情報をカレンダーに表示する。すなわち、ガイド支援システム１は、各旅行者の旅行者情報をカレンダー内に日付ごとに表示する。カレンダーは、ガイドがパソコンなどの入力端末３によって確認可能なように、例えばインターネットのホームページ上に表示される。
【００１８】
ガイド支援システム１は、入力端末３でカレンダー上に表示される旅行者情報の中から、ガイドが所望の旅行者を選択してその旅行者にアサインした際に、ガイドと旅行者とをマッチングさせる。
【００１９】
具体的には、ガイド支援システム１は、カレンダー表示部１１と、ガイドマッチング部１２とを備える。カレンダー表示部１１は、旅行者の入力端末２から入力された旅行者情報をカレンダーに表示する。ガイドマッチング部１２は、カレンダーに表示された旅行者情報の中から所望の旅行者をガイドが選択して、その旅行者にアサインした場合に、ガイドと旅行者とをマッチングさせる。
【００２０】
図２に、ガイド支援システム１のカレンダー表示部１１によって表示されるカレンダーＰの一例を示す。このカレンダーＰでは、旅行者がガイド依頼の申し込みをすると（旅行者情報を入力すると）、旅行者が入力した旅行者情報が日付毎に表示される。図２において、各日付に対応する各欄が各旅行者の旅行者情報を示す旅行者情報表示エリアＱである。
【００２１】
カレンダーＰの各旅行者情報表示エリアＱには、例えば、旅行者の代表者の氏名（図２中に符号Ｓで示す）、旅行者の性別（図２中に符号Ｔで示す）、旅行者の話す言語（図２中に符号Ｕで示す）、旅行者の人数（図２中に符号Ｖで示す）、旅行者の中の子供の有無（図２中に符号Ｗで示す）などの旅行者が入力した旅行者情報が表示される。これ以外にも、旅行者情報表示エリアＱに表示する旅行者情報として、例えば、旅行先等の旅行情報や、固定のルートで観光案内可能かどうか、英語でのガイドが可能かどうか、キャンセルになったかどうか等が挙げられる。
【００２２】
ガイドは、入力端末３に表示されたカレンダーＰを見て、自身に合った条件の旅行者情報を見つけた場合、その旅行者情報が表示されている旅行者情報表示エリアＱに記載されている旅行者の代表者氏名を選択する。これにより、入力端末３には、その旅行者の旅行者情報が詳細に表示された旅行者情報ページ（図３）が表示される。旅行者情報ページは、旅行者の詳細情報表示欄Ｘと、ガイドのアサイン申し込み欄Ｙとを有する。そして、ガイドは、その旅行者の観光案内を引き受けたい場合、旅行者情報ページのアサイン申し込み欄Ｙに表示されたアサインボタンＺを押すことにより、ガイドマッチング部１２によって、ガイドと旅行者とがマッチングされる。
【００２３】
これにより、旅行者が入力した旅行者情報をカレンダーで見やすく表示できるとともに、ガイドが自身の都合のよい日程で且つ自身に適した条件の旅行者をカレンダーから容易に選択することができる。よって、旅行者とガイドとの間で効率良く且つ最適なマッチングを行うことができる。
【００２４】
次に、ガイド支援システム１のより具体的な構成を、図４を用いて詳細に説明する。図４は、本発明の実施形態に係るガイド支援システム１の構成を具体的に示すブロック図である。
【００２５】
ガイド支援システム１は、インターネット等に接続された例えばサーバによって構成される。ガイド支援システム１は、カレンダー表示部１１と、ガイドマッチング部１２と、通信部１３と、旅行者情報入力部１４と、記憶部１５とを有する。
【００２６】
通信部１３は、入力端末２，３との間で、インターネットを介してデータの送受信を行う。具体的には、通信部１３は、入力端末２，３から入力される情報を入力データとして受信する一方、入力端末２，３にカレンダーを表示させるためのデータや、旅行者とガイドとのマッチング結果などを入力端末２，３に送信する。
【００２７】
旅行者情報入力部１４は、旅行者による旅行者情報の入力を受け付ける。すなわち、旅行者情報入力部１４では、インターネットを介して旅行者の入力端末２に旅行者情報入力フォームを表示させるとともに、該旅行者情報入力フォームに入力された内容を後述の記憶部１５に記憶させる。
【００２８】
記憶部１５は、旅行者情報入力部１４に入力された旅行者情報を記憶する。記憶部１５は、複数の入力端末２から入力される複数の旅行者情報を記憶可能に構成されている。記憶部１５に記憶されている旅行者情報は、カレンダー表示部１１の後述の旅行者情報表示部２２によってカレンダーに表示される。
【００２９】
カレンダー表示部１１は、日付表示部２１と、旅行者情報表示部２２とを有する。日付表示部２１は、カレンダーの日付を一覧表示する。日付表示部２１は、例えば、１ヶ月分の日付をまとめて表示できるように構成されていてもよいし、２週間毎や１週間毎に日付を表示できるように構成されていてもよい。
【００３０】
旅行者情報表示部２２は、日付表示部２１によって表示されたカレンダーの各日付の欄に、記憶部１５に記憶されている旅行者情報を表示する。旅行者情報表示部２２は、記憶部１５に記憶されている旅行者情報に基づいて、該旅行者情報に含まれる各情報をアイコン表示するように構成されている。
【００３１】
具体的には、旅行者情報表示部２２は、図２に示すように、カレンダーＰの各日付に対応して設けられる旅行者情報表示エリアＱに、旅行者情報に含まれる各情報をアイコン表示（図２中の符合ＳからＷ）する。アイコン表示される情報としては、例えば、旅行者の性別、旅行者の話す言語、旅行者の人数、旅行者の中の子供の有無などの旅行者属性情報や、旅行先などの旅行情報、固定のルートで観光案内可能かどうか、英語でのガイドが可能かどうか、キャンセルになったかどうかなどの情報である。また、旅行者情報表示部２２は、旅行者情報に含まれる旅行者の代表者氏名（図２中の符号Ｓ）をカレンダーＰ上に表示する。なお、旅行者情報表示部２２は、旅行者情報に含まれる情報であれば、上述の情報以外の情報をカレンダーＰ上に表示してもよい。
【００３２】
なお、本実施形態では、旅行者情報表示部２２は、カレンダーＰ上に表示される旅行者の代表者氏名に、各旅行者の詳細な旅行者情報を表示するページ（旅行者情報ページ）を表示させるためのリンクが貼られている。よって、カレンダー上に表示された旅行者の代表者氏名をクリックすることにより、該旅行者の詳細な旅行者情報を閲覧することができる。また、既述のように、旅行者情報ページには、ガイドが旅行者をアサインするためのサインボタンＺも設けられているため、ガイドが旅行者の代表者氏名をクリックすることにより、容易にアサインを行うことが可能になる。
【００３３】
また、旅行者情報表示部２２は、旅行者情報表示エリアＱに表示されている旅行者とガイドとのマッチングが完了した際に、該旅行者の旅行者情報が表示されている旅行者情報表示エリアＱの表示色を変更する。旅行者情報表示エリアＱの表示色は、他のガイドがアサインしていない場合、同じ日に複数のガイドがアサインしている場合、旅行者の都合によりキャンセルになった場合などに応じて、変更してもよい。
【００３４】
図４に示すように、ガイドマッチング部１２は、ガイド入力受付部３１と、マッチング部３２と、結果出力部３３（通知部）とを有する。ガイド入力受付部３１は、通信部１３を介してガイドの入力端末３から入力された情報を受け付ける。具体的には、ガイド入力受付部３１は、ガイドが入力端末３に表示されたカレンダーの中から希望する旅行者を選択してアサインした場合に、その入力を受け付ける。なお、ガイドは、カレンダーに表示されている旅行者情報の一つを選択した際に表示される旅行者情報ページでアサインする（図３）。
【００３５】
マッチング部３２は、ガイド入力受付部３１でガイドがアサインした旅行者と、該ガイドとをマッチングする。すなわち、マッチング部３２では、ガイドと該ガイドが選択した旅行者とを互いに関連付ける。
【００３６】
結果出力部３３は、マッチング部３２でマッチングされたガイド及び旅行者に対し、そのマッチング結果を出力するためのデータを生成する。具体的には、結果出力部３３は、マッチング部３２でマッチングされたガイド及び旅行者に対して、メール等によって送信するための結果データを生成し、通信部１３を介して、旅行者及びガイドの入力端末２，３に対してマッチング結果を送信する。
【００３７】
なお、本実施形態では結果出力部３３は、旅行者及びガイドの入力端末２，３に対してマッチング結果をメール送信しているが、この限りではなく、旅行者及びガイドのそれぞれ専用ホームページ上に表示するなどしてもよい。また、結果出力部３３を設けずに、例えば、書類等によって結果を通知してもよい。さらに、結果出力部３３が通知する対象は、旅行者及びガイドの入力端末２，３のいずれか一方でもよい。
【００３８】
次に、本発明の実施形態に係るガイド支援システム１の動作について図５を用いて説明する。図５は、ガイド支援システム１の動作を示すフロー図である。以下の説明において、図１及び図４を適宜、参酌する。また、本実施形態では、ガイド支援システム１を動作させることによって、ガイド支援方法が実施される。よって、本実施形態におけるガイド支援方法の説明は、以下のガイド支援システム１の動作説明に代える。
【００３９】
まず、ガイド支援システム１では、旅行者が入力端末２を介して入力した旅行者情報が旅行者情報入力部１４によって、記憶部１５に登録される（ステップＳ１）。記憶部１５に登録された旅行者情報は、カレンダー表示部１１の旅行者情報表示部２２によって、カレンダー上に表示される（ステップＳ２）。このとき、カレンダーの日付等は、日付表示部２１によって表示される。
【００４０】
次に、ガイド入力受付部３１によって、ガイドがカレンダー上から希望する旅行者を選択してアサインした場合（ステップＳ３においてＹＥＳの場合）、マッチング部３２が、ガイドと、該ガイドがアサインした旅行者とをマッチングする（ステップＳ４）。一方、ガイド入力受付部３１によって、ガイドが旅行者をアサインしなかった場合（ステップＳ３においてＮＯの場合）には、ガイドが旅行者をアサインするまで待機する。
【００４１】
マッチング部３２によってガイドと旅行者とがマッチングされた場合、その結果を元に結果出力部３３が結果データを生成する。その結果データは、通信部１３を介して、旅行者及びガイドの入力端末２，３にマッチング結果として送信される（ステップＳ５）。その後、このフローを終了する（Ｅｎｄ）。なお、結果データを送信する先は、旅行者及びガイドの入力端末２，３のいずれか一方であってもよい。
【００４２】
ここで、旅行者が旅行者情報を登録するステップＳ１が旅行者情報登録ステップに対応し、旅行者情報をカレンダーに表示するステップＳ２がカレンダー表示ステップに対応する。カレンダーに表示された旅行者情報をガイドが選択してアサインした場合に、申し込んだガイドと前記旅行者とをマッチングするステップＳ４がガイドマッチングステップに対応する。マッチングされたガイド及び旅行者に対して、結果の送信を行うステップＳ５が通知ステップに対応する。
【００４３】
本実施形態の構成によれば、旅行者が入力した旅行者情報をカレンダー上に見やすく表示することができるとともに、ガイドが、カレンダーを見て、自身に合った旅行者を容易に見つけることができる。これにより、ガイドと旅行者との間で、効率良く且つ最適なマッチングを行うことができる。
【００４４】
本発明の実施形態におけるプログラムは、コンピュータに、図５に示すステップＳ１からＳ５を実行させるプログラムであれば良い。このプログラムをコンピュータにインストールし、実行することによって、本実施形態におけるガイド支援システムとガイド支援方法とを実現することができる。この場合、コンピュータのＣＰＵ（Central Processing Unit）は、カレンダー表示部１１、ガイドマッチング部１２、通信部１３及び旅行者情報入力部１４として機能し、処理を行なう。
【００４５】
また、本実施形態では、カレンダー表示部１１、ガイドマッチング部１２及び旅行者情報入力部１４は、コンピュータに備えられたハードディスク等の記憶装置に、これらを構成するデータファイルを格納することによって、又はこのデータファイルが格納された記録媒体をコンピュータと接続された読取装置に搭載することによって実現されている。
【００４６】
ここで、本実施形態におけるプログラムを実行することによって、ガイド支援システムを実現するコンピュータについて図６を用いて説明する。図６は、本発明の実施形態におけるガイド支援システムを実現するコンピュータの一例を示すブロック図である。
【００４７】
図６に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００４８】
ＣＰＵ１１１は、記憶装置１１３に格納された、本実施形態におけるプログラム（コード）をメインメモリ１１２に展開し、これらを所定順序で実行することにより、各種の演算を実施する。メインメモリ１１２は、典型的には、ＤＲＡＭ（Ｄｙｎａｍｉｃ  Ｒａｎｄｏｍ  Ａｃｃｅｓｓ  Ｍｅｍｏｒｙ）等の揮発性の記憶装置である。また、本実施形態におけるプログラムは、コンピュータ読み取り可能な記録媒体１２０に格納された状態で提供される。なお、本実施形態におけるプログラムは、通信インターフェイス１１７を介して接続されたインターネット上で流通するものであっても良い。
【００４９】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００５０】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００５１】
また、記録媒体１２０の具体例としては、ＣＦ（Ｃｏｍｐａｃｔ  Ｆｌａｓｈ（登録商標））及びＳＤ（Ｓｅｃｕｒｅ  Ｄｉｇｉｔａｌ）等の汎用的な半導体記憶デバイス、フレキシブルディスク（Ｆｌｅｘｉｂｌｅ  Ｄｉｓｋ）等の磁気記憶媒体、又はＣＤ−ＲＯＭ（Ｃｏｍｐａｃｔ  Ｄｉｓｋ  Ｒｅａｄ  Ｏｎｌｙ  Ｍｅｍｏｒｙ）などの光学記憶媒体が挙げられる。
【産業上の利用可能性】
【００５２】
本発明は、旅行者とガイドとをマッチングさせるためのガイド支援システムに利用可能である。
【符号の説明】
【００５３】
１    ガイド支援システム
１１  カレンダー表示部
１２  ガイドマッチング部
３３  結果出力部（通知部）
Ｐ  カレンダー
【図１】
2016191969.tif 000003
【図２】
2016191969.tif 000004
【図３】
2016191969.tif 000005
【図４】
2016191969.tif 000006
【図５】
2016191969.tif 000007
【図６】
2016191969.tif 000008